(57)【特許請求の範囲】
【請求項１】
液体に対して吸収性に優れた吸収体と；
前記吸収体上に配置された親水性のトップシートと；
前記トップシート上において、前記吸収体の少なくとも縁部周辺に形成され、当該吸収体の中央に向かって開放されたフラップとを備え;
前記フラップの上面が液体を吸収する親水性を有し、
前記トップシートと前記フラップとの間には特別な介在部材は配置されず、未使用状態において前記フラップは前記トップシートに対してフラットな状態を保持するように構成され、
前記吸収体において、少なくとも縁部周辺の前記フラップに対応する位置に、前記フラップに沿って形成された溝状の凹部が形成され、
前記フラップは、前記溝の一部に被さる状態で形成されていることを特徴とするペットシート。
【請求項２】
前記フラップは、１枚の親水性の不織布によって形成されることを特徴とする請求項１に記載のペットシート。
【請求項３】
前記不織布の片面に疎水性又は撥水性の塗料を塗布し、当該撥水面を前記フラップの下面とすることを特徴とする請求項２に記載のペットシート。
【請求項４】
前記フラップは、前記上面に対応する親水性の材料と、前記下面に対応する疎水性又は撥水性の材料とを貼り合わせて形成される２層構造であることを特徴とする請求項１に記載のペットシート。
【請求項５】
前記フラップが、前記トップシート上に複数形成されていることを特徴とする請求項１乃至４の何れか一項に記載のペットシート。
【請求項６】
前記フラップは、前記吸収体の全面に渡って形成されていることを特徴とする請求項５に記載のペットシート。
【請求項７】
少なくとも縁部周辺の前記フラップの自由端と逆側の端部が、前記トップシートに対して２次元的に固定されていることを特徴とする請求項１乃至６の何れか一項に記載のペットシート。
【請求項８】
前記吸収体及びトップシートは概ね矩形であり、
前記フラップは前記吸収体及びトップシートの少なくとも一辺に沿って設けられ、前記２次元的固定がコの字型の固定であることを特徴とする請求項７に記載のペットシート。
【請求項９】
前記凹部によって、前記吸収体上に複数の小領域を区画することを特徴とする請求項１乃至８の何れか一項に記載のペットシート。
【請求項１０】
前記凹部によって、前記小領域が前記吸収体の全面に形成されることを特徴とする請求項９に記載のペットシート。
【発明の詳細な説明】
【０００１】
【発明の属する技術分野】
本発明は、室内で飼われるペットの排泄物処理のために、床などに敷かれて使用されるペットシートに関する。
【０００２】
【従来の技術】
ペットシートは、例えば、液体を吸収する表面シートと、撥水（防水）性の裏面シートと、これら２枚のシートの間に配置された吸収体とを備える。そして、ペットが排泄した尿は、表面シートを透過して吸収体に吸収される。ところで、吸収体の吸収量を超える量の尿をペットが排泄した場合など、尿がペットシートから外に漏れ出ることがある。また、排出された尿が瞬間的にトップシートの表面を滑り、シートの端部まで達して外に洩れ出ることがある。このため、トップシートの上にヒダ状のフラップを設け、当該フラップによって尿の流出を堰き止めている。
【０００３】
【発明が解決しようとする課題】
しかし、フラップの上面に飛散した尿がフラップの上面に水滴のまま残り、ペットシートを処分する時に尿が手に付いたり、床にこぼれたりすることがあった。
【０００４】
本発明は上記のような状況に鑑みてなされたものであり、フラップの表面に飛散した尿によって手やシート周辺部が汚れるのを有効に防止できるペットシートを提供することを主目的とする。
【０００５】
【課題を解決するための手段】
上記課題を解決するために、本発明の第１の態様に係るペットシートは、トップシート上において、吸収体の少なくとも縁部周辺に形成され、当該吸収体の中央に向かって開放されたフラップとを備える。そして、このフラップの上面が液体を吸収する親水性とする。フラップの上面に飛散した尿がフラップに吸収されるため、フラップの上面に飛散、付着した尿が水滴のまま残り、ペットシートを処分する時に尿が手に付いたり、床にこぼれたりすることを防止できる。
【０００６】
上記のようなフラップは、１枚の親水性の不織布によって形成することができる。この場合、例えば、不織布の片面に疎水性又は撥水性の塗料を塗布し、当該撥水面をフラップの下面とすることが好ましい。あるいは、親水性の材料と疎水性又は撥水性の材料とを貼り合わせてフラップを形成することもできる。
【０００７】
ここで、トップシートとフラップとの間に、フラップとトップシートとの間に所定のスペースを形成するスペーサー部材を設ければ、トップシート上を流れる尿がフラップを乗り越えてしまうようなこともなく、フラップで堰き止める確実性が向上する。他方、トップシートとフラップとの間に特別な介在部材を配置せず、未使用状態においてフラップがトップシートに対してフラットな状態を保持するようにすれば、ペットがフラップに足を引っかけることを防止できるというメリットがある。
【０００８】
好ましくは、フラップをトップシート上に複数形成する。更には、フラップを吸収体の全面に渡って形成することもできる。これにより、尿を堰き止める能力が向上する。すなわち、１枚目のフラップを乗り越えた尿を次のフラップで堰き止めることができる。
【０００９】
また、少なくとも縁部周辺のフラップの自由端と逆側の端部を、トップシートに対して２次元的に固定することが好ましい。例えば、吸収体及びトップシートが矩形の場合には、フラップは吸収体及びトップシートの少なくとも一辺に沿って設けられ、コの字型に固定される。これにより、多量の尿がトップシートとフラップの間に流れ込んだときにも、尿の流れによってフラップが固定部側に押し倒されることがない。
【００１０】
更に、吸収体上において、少なくとも縁部周辺のフラップに対応する位置に凹部を形成することができる。例えば、凹部は、フラップに沿って形成された溝とする。このような凹部を形成することにより、フラップとトップシートとの間に殆ど隙間がない場合にも、外部に流れ出ようとする尿を良好に堰き止めることが可能となる。すなわち、外側に向かって流れる尿が一旦凹部に入り込み、凹部を溢れ出る時にフラップを押し上げるような形となる。このため、フラップが尿の圧力で立ち上がり、本来の堰き止め機能を発揮できるようになる。したがって、外側に流れる尿がフラップの上をそのまま通過してしまうことを防止できる。特に、フラップを凹溝の一部に被さる状態で形成した場合に、上記のような作用効果が顕著となる。
【００１１】
また、吸収体上に複数の小領域を区画するように凹部を形成すれば、当該領域内の尿が何れの方向に流れ出ようとしても、当該尿は必ず近辺の凹部にトラップされるため、尿の流れる方向に関わらず尿の勢いを抑制することが可能となる。更に、このような小領域が吸収体全面に形成されるように凹部を構成すれば、尿の排出場所及び方向に関わらず、トップシート上を滑って流れ出る尿の勢いを抑えることができる。
【００１２】
【発明の実施の形態】
以下、本発明の実施の形態について、矩形のペットシートを例にとって説明する。また、以下に示すペットシートの形状、サイズ等はこれらに限定されるものではなく、対象とするペットの種類や使用状況に応じて適宜変更可能である。
【００１３】
図１及び図２は、本発明の第１の実施例に係るペットシート１０を示す平面図及び断面図である。ペットシート１０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート２０と、トップシート１４の長辺側の縁部に設けられた一対のフラップ１６，１８とを備えている。
【００１４】
吸収体１２としては、パルプ、綿などに高吸収性ポリマー（ＳＡＰ）を混合したものを紙、ティッシュ又は不織布で包んだものを使用することができる。吸収体１２は、トップシート１４とバックシート２０の中央付近に配置され、ペットが排泄した尿２４等の排泄物を吸収する。
【００１５】
トップシート１４としては、例えば、ポリプロピレン（ＰＰ）繊維からなるボイントボンド不織布などの合成繊維から形成された不織布、レーヨン繊維などの吸収繊維が含まれた不織布、あるいは吸収繊維のみで形成された不織布を使用することができる。更には、多数の細孔を有する細孔フィルムを使用することもできる。バックシート２０としては、ポリエチレン（ＰＥ）フィルムやビニールシート等を使用することができる。
【００１６】
フラップ１６，１８は、吸収体１２の長辺側縁部において、開口部（自由端）１６ａ，１８ａが吸収体１２の中央を向く状態で配置されている。このように、トップシート１４の縁部にフラップ１６，１８を設けることにより、吸収体１２に吸収されずにトップシート１４上を流れる（横滑りする）尿２４が、当該トップシート１４とフラップ１６，１８の間に入り込み、そこで堰き止めることができる。フラップ１６，１８は、尿２４の侵入によって起立しやすい剛性を有するように設計する。例えば、カンチレバー法による測定で５０ｍｍ以下の剛性とする。
【００１７】
図３（Ａ）は、フラップ１６（１８）の構造を示す。フラップ１６，１８は、トップシート１４に面する下面２３が不透液性、撥水性を有し、上側の面２２が液を浸透・拡散させる親水性を有する構造とする。本実施例においては、フラップ１６，１８を一枚のポイントボンド不織布から構成する。繊維を均一に積層するカードと呼ばれる機械を最低２台用意し、例えば、１台目のカード機で撥水性（疎水性）の繊維を積層し、２台目のカード機で親水性の繊維（疎水性の繊維に表面親水処理したもの）を積層し、熱エンボスロールで接着する。
【００１８】
また、フラップ１６，１８の構造としては、本実施例の構造の他に、親水性材料と撥水性材料を張り合わせた２重構造としたり、図３（Ｂ）に示すように、親水性材料２６に撥水性の塗料２８を塗布したものを使用することができる。なお、フラップ１６，１８の上面（親水面）の材質としては、親水性の不織布やティッシュを採用することができる。一方、下側の撥水（疎水）面の材質としては、疎水性の不織布、フィルム、シリコン塗装膜、フッ素塗装膜を採用することができる。
【００１９】
本実施例においては、トップシート１４とフラップ１６，１８との間には、特別な介在部材は配置されず、未使用状態においてフラップ１６，１８がトップシート１４に対してフラットな状態を保持する。このため、ペットがフラップ１６，１８に足を引っかけるようなことがない。
【００２０】
フラップ１６，１８は、コの字型の接着部１６ｂ，１８ｂにおいてトップシート１４に固定されている。フラップ１６，１８は、例えば、ホットメルト接着剤や熱シール等を利用してトップシート１４（ペットシート本体）に固定することができる。図において、接着部１６ｂ，１８ｂを斜線（陰）で示す。
【００２１】
フラップ１６，１８をコの字型に固定することにより、多量の尿２４がトップシート１４とフラップ１６，１８の間に流れ込んだ場合にも、フラップ１６，１８が尿２４の流れによって固定部１６ｂ，１８ｂ側に押し倒されることがない。なお、フラップ１６，１８の接着部１６ｂ、１８ｂの形状は、コの字型に限定されず、二次元的に固定されていれば、コの字の場合と同様の作用効果を得ることができる。なお、本実施例においては、フラップ１６，１８の固定部１６ｂ，１８ｂが、吸収体１２の端部に概ね一致しているが、フラップ１６，１８の取り付け位置は、吸収体１２の上部にかかっていても良い。ただし、尿２４の流れを堰き止める目的からすると、できるだけ吸収体１２の縁部（端部）寄りであることが好ましい。
【００２２】
また、本実施例では、フラップ１６，１８をペットシート本体（１２，１４，２０）とは別部材としているが、バックシート２０を巻き上げる様な形でフラップ１６，１８を構成することも可能である。
【００２３】
上記のように構成されたペットシート１０を床などの上に敷いて使用する際には、犬などのペットがペットシート１０を跨いで尿２４等の排泄を行う。排泄された尿２４は、トップシート１４を透過して吸収体１２に吸収される。ここで、横方向（長辺と略垂直の方向）に勢いよく流れる尿２４は、トップシート１４上を滑ってペットシート１０外に流れ出ようとする。このような尿２４は、図２（Ｂ）に示すように、フラップ１６（１８）とトップシート１４との間に入り込んで、堰き止められる。
【００２４】
また、本実施例においては、フラップ１６，１８の内側を撥水面としているため、尿の侵入によってフラップ１６，１８がトップシート１４に張り付いてしまうことなく立ち上がって、確実に尿の流出が堰き止められる。更に、フラップ１６，１８の外側（上側）を親水面としているため、図４に示すように、フラップ１６，１８の上に飛び散った尿２４が当該フラップの外面（上面）に浸透・拡散する。その結果、フラップ１６，１８の上面に付着した尿が水滴のまま残り、ペットシート１０を処分する時に尿が手に付いたり、床にこぼれたりすることを防止できる。
【００２５】
以下、本発明の他の実施例について説明するが、フラップ（１６，１８等）の構造、材質は上記第１の実施例と基本時に同一である。
【００２６】
図５及び図６は、本発明の第２の実施例に係るペットシート３０を示す平面図及び断面図である。本実施例に係るペットシート３０は、上記第１の実施例に係るペットシート１０に対して、新たに２つのフラップ３２，３４を設けたものである。なお、上記第１の実施例と同一又は対応する構成要素については同一の参照符号を付すものとし、重複した説明は省略する。
【００２７】
ペットシート３０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート２０と、トップシート１４の縁部に設けられた一対のフラップ１６，１８と、フラップ１６，１８の内側に設けられたフラップ３２，３４とを備えている。
【００２８】
フラップ１６，１８は、吸収体１２の長辺側縁部において、開口部（自由端）が吸収体１２の中央に向かう状態で配置されている。フラップ３２，３４は、フラップ１６，１８から所定の間隔をあけて平行に配置され、フラップ１６，１８と同様に、トップシート１４に対してコの字型固定部３２ｂ，３４ｂによって接着、固定されている。図において、固定部３２ｂ，３４ｂを斜線（陰）で示す。フラップ３２，３４は、フラップ１６，１８と基本的に同じ構成（材質を含む）とすることができる。なお、フラップ３２，３４の材質は、フラップ１６，１８と同様に表面側が親水性、内面側が疎水性（撥水性）とすることが望ましいが、従来と同様に表面側を疎水性（撥水性）とすることも可能である。すなわち、最も外側のフラップ１６，１８の表面が親水性であれば、内側にあるフラップ３２，３４の表面が疎水性であっても、ある程度本発明の効果が期待できる。
【００２９】
本実施例においては、縁部のフラップ１６，１８の内側に更に別のフラップ３２，３４を設けているため、尿２４を堰き止める能力が向上する。すなわち、１枚目のフラップ３２，３４を乗り越えた尿２４を次のフラップ１６，１８で確実に堰き止めることを期待できる。
【００３０】
図７及び図８は、本発明の第３の実施例に係るペットシート４０を示す平面図及び断面図である。本実施例に係るペットシート４０は、上記第２の実施例に係るペットシート３０に対して、フラップ３２，３４の内側に更に２つのフラップ４２，４４を設けることによって構成される。なお、上記各実施例と同一又は対応する構成要素については同一の参照符号を付すものとし、重複した説明は省略する。また、本実施例においては、フラップを合計６枚使用しているが、本実施例の基本的なコンセプトはフラップの数ではなく、吸収体１２の全域に渡ってフラップを設けることにある。
【００３１】
ペットシート４０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート２０と、トップシート１４の縁部に設けられた一対のフラップ１６，１８と、フラップ１６，１８の内側に設けられたフラップ３２，３４と、更にその内側に設けられたフラップ４２，４４とを備えている。
【００３２】
フラップ１６，１８は、吸収体１２の長辺側縁部において、開口部（自由端）が吸収体１２の中央に向かう状態で配置されている。フラップ３２，３４は、フラップ１６，１８から所定の間隔をあけて平行に配置され、フラップ１６，１８と同様に、トップシート１４に対してコの字型固定部３２ｂ，３４ｂによって接着、固定されている。フラップ４２，４４は、フラップ３２，３４から所定の間隔をあけて平行に配置され、フラップ３２，３４と同様に、トップシート１４に対してコの字型に接着、固定されている。図において、固定部を斜線（陰）で示す。なお、フラップ３２，３４，４２，４４の材質は、フラップ１６，１８と同様に表面側が親水性、内面側が疎水性（撥水性）とすることが望ましいが、従来と同様に表面側を疎水性（撥水性）とすることも可能である。すなわち、最も外側のフラップ１６，１８の表面が親水性であれば、その内側のフラップの表面が疎水性であっても、ある程度本発明の効果が期待できる。
【００３３】
本実施例においては、吸収体１２の全面にわたってフラップを設けているため、第２の実施例に係るペットシート３０に比べ、尿２４を堰き止める能力が更に向上する。
【００３４】
図９及び図１０は、本発明の第４の実施例に係るペットシート５０を示す平面図及び断面図である。本実施例に係るペットシート５０は、上記第１の実施例に係るペットシート１０に対して、溝５２，５４を設けることによって構成される。その他の構成、材質等については、基本的には第１の実施例と同様であるため、重複した説明は省略する。また、上記各実施例と同一又は対応する構成要素については同一の参照符号を付すものとする。
【００３５】
ペットシート５０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート２０と、トップシート１４の縁部に設けられた一対のフラップ１６，１８とを備えている。そして、吸収体１２及びトップシート１４上の、フラップ１６，１８に対応する位置には、溝５２，５４が形成されている。
【００３６】
溝５２，５４の位置は、例えば、吸収体１２の端部から１５０ｍｍ以内の位置とすることが好ましい。また、溝５２，５４は、周知のエンボス加工と同様に吸収体１２をロールで圧し、あるいは、吸収体１２を構成するパルプの厚さを溝５２，５４に相当する部分だけ薄くする等の方法によって形成することができる。溝５２，５４は、途中で途切れることなく連続的であることが好ましい。仮に、溝を断続的に成形する場合には、例えば、フラップ１６，１８の長さの３０％以上とする。尿２４を確実にトラップするために、溝５２，５４の幅は、例えば、３ｍｍ以上とする。
【００３７】
また、本実施例においては、溝５２，５４の幅方向約半分がフラップ１６，１８によって被さるように配置、構成されている。これにより、トップシート１４を横滑りして流れる尿２４がフラップ１６，１８を乗り越えてそのまま外側に流れ出るのを防止することが出来る。すなわち、図１０（Ｂ）に示すように、トップシート１４の上を流れる尿２４は、フラップ１６，１８に到達する前に溝５２，５４の中に入り込み、フラップ１６，１８を下から押し上げるような状態になる。その結果、フラップ１６，１８が確実に起立して尿２４を堰き止めることになる。
【００３８】
上記のように本実施例においては、吸収体１２上に２本の溝５２，５４を設けているため、横滑りする尿２４の流れの方向を規制することができる。すなわち、横方向（長辺と垂直な方向）に流れる尿２４が、ある程度縦方向（長手方向）に導かれ、吸収体１２の広い領域に尿２４が分散される。また、フラップ１６，１８とトップシート１４との間に殆ど隙間がない場合にも、外部に流れ出ようとする尿２４を良好に堰き止めることが可能となる。すなわち、図１０（Ｂ）に示すように、外側に向かって流れる尿２４が一旦溝５２，５４に入り、溝５２，５４を溢れ出る時にフラップ１６，１８を押し上げるような形となり、フラップ１６，１８が本来の機能を発揮できるように立ち上がる。したがって、外側に流れる尿２４がフラップ１６，１８の上をそのまま通過してしまうことを防止できる。
【００３９】
図１１及び図１２は、本発明の第５の実施例に係るペットシート６０を示す平面図及び断面図である。本実施例に係るペットシート６０は、上記第２の実施例に係るペットシート３０と第４の実施例に係るペットシート５０との両方の特徴を併せ持つものである。なお、上記各実施例と同一又は対応する構成要素については同一の参照符号を付し、重複した説明は省略する。
【００４０】
ペットシート６０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート２０と、トップシート１４の縁部に設けられた一対のフラップ１６，１８と、フラップ１６，１８の内側に設けられたフラップ３２，３４とを備えている。そして、吸収体１２及びトップシート１４上の、フラップ１６，１８に対応する位置には、溝５２，５４が形成され、フラップ３２，３４に対応する位置には、溝６２，６４が形成されている。
【００４１】
溝６２，６４についても、溝５２，５４と同様に、吸収体１２をロールで圧し、あるいは、吸収体１２を構成するパルプの厚さを薄くする等の方法によって形成することができる。また、溝６２，６４についても、連続的であることが好ましいが、断続的に成形する場合には、フラップ３２，３４の長さの３０％以上とする。溝６２，６４の幅についても、溝５２，５４と同様に、例えば、３ｍｍ以上とする。また、溝６２，６４の幅方向約半分がフラップ３２，３４によって覆われるように配置、構成されている。
【００４２】
図１３及び図１４は、本発明の第６の実施例に係るペットシート７０を示す平面図及び断面図である。本実施例に係るペットシート７０は、上記第１の実施例に係るペットシート１０を基本として、吸収体１２の全面にエンボス加工を施すことによって構成される。なお、上記各実施例と同一又は対応する構成要素については同一の参照符号を付し、重複した説明は省略する。
【００４３】
ペットシート７０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート２０と、トップシート１４の縁部に設けられた一対のフラップ１６，１８とを備えている。そして、吸収体１２の全面に渡り、吸収体１２上に複数の小領域７２ａを区画するように凹部７２が形成されている。凹部７２は、吸収体１２をロールで圧する所謂エンボス加工プロセスによって形成することができる。なお、吸収体１２全面でなく、吸収体１２上の一部に凹部７２を形成することも可能である。本実施例においては、凹部７２によって吸収体１２上に区画される複数の小領域７２ａは、四角形であるが、これに限定されず、三角、その他の多角形、丸、楕円等とすることができることは言うまでもない。
【００４４】
本実施例においては、吸収体１２上に複数の小領域７２ａを区画するように凹部７２を形成しているため、当該領域７２ａ内の尿が何れの方向に流れ出ようとしても、当該尿は必ず近辺の凹部７２にトラップされるため、尿の流れる方向に関わらず尿の勢いを抑制することが可能となる。更に、このような小領域７２ａが吸収体１２全面に形成されているため、尿の排出場所及び方向に関わらず、トップシート１４上を滑って流れ出る尿の勢いを抑えることができる。
【００４５】
図１５は、本発明の第７の実施例に係るペットシート９０を示す平面図である。本実施例に係るペットシート９０は、上記第１の実施例に係るペットシート１０に対し、上下方向にもフラップ９２，９４を取り付けた構成となっている。なお、上記各実施例と同一又は対応する構成要素については同一の参照符号を付し、重複した説明は省略する。
【００４６】
ペットシート９０は、尿などの液体に対して吸収性に優れた吸収体１２と、吸収体１２を覆うように配置される親水性のトップシート１４と、トップシート１４とともに吸収体１２を挟み込むように配置された撥水性又は防水性のバックシート（図示せず）と、吸収体１２（トップシート１４）の長辺側の縁部に設けられた一対のフラップ１６，１８と、吸収体１２（トップシート１４）の短辺側の縁部に設けられた一対のフラップ９２，９４とを備えている。フラップ９２，９４は、フラップ１６，１８と同様に、トップシート１４に対してコの字状に接着されている。
【００４７】
なお、フラップ９２，９４の材質は、フラップ１６，１８と同様に表面側が親水性、内面側が疎水性（撥水性）とすることが望ましい。
【００４８】
本実施例においては、ペットシート９０の全周にわたってフラップ１６，１８，９２，９４が設けられているため、尿２４の流れる方向にかかわらず尿が漏れ出るのを防ぐことが可能となる。なお、本実施例においては、吸収体１２に溝又は凹部を形成していないが、上述した各実施例に採用されている溝及び／又は凹部（５２，５４，６２，６４，７２）を用いることもできる。例えば、フラップ１６，１８，９２，９４に沿った状態で、吸収体１２の全周に渡って溝を形成することができる。
【００４９】
図１６は、本発明の第８の実施例に係るペットシートを示す部分断面図である。図１６（Ａ）に示すペットシートは、上記第１の実施例に係るペットシート１０において、トップシート１４とフラップ１６，１８との間にスペーサー部材９６を介在させたものである。一方、図１６（Ｂ）に示すペットシートは、上記第４の実施例に係るペットシート５０において、トップシート１４とフラップ１６，１８との間にスペーサー部材９６を介在させたものである。なお、上記各実施例と同一又は対応する構成要素については同一の参照符号を付し、重複した説明は省略する。
【００５０】
スペーサー部材９６は、トップシート１４とフラップ１６，１８との間に間隔を設け、両者が密着してしまうことを防止する。これにより、トップシート１４の表面を流れる尿２４が確実にフラップ１６，１８の間に入り込み、堰き止め効果が向上することになる。なお、スペーサー部材９６の形状、材質等は特に限定されないが、トップシート１４とフラップ１６，１８との間に必要なスペースを形成する構造とする。
【００５１】
以上、本発明の実施例について説明したが、本発明はこれらの実施例に何ら限定されるものではなく、特許請求の範囲に示された技術的思想の範疇において変更可能なものである。上記説明においては、本発明のいくつかの態様を示したが、各実施例をあらゆる形で組み合わせることが可能である。例えば、第２〜７の実施例に係るペットシートのトップシート１４と全てのフラップとの間にスペーサー部材を介在させるようにしても良い。また、吸収体全面にエンボス加工を施して凹部（７２）を形成すると同時に、吸収体１２の縁部においてフラップの長手方向に沿った溝を形成するということもできる。
【００５２】
【発明の効果】
以上説明したように、本発明によれば、フラップの上面が液体を吸収する親水性としているため、フラップの上面に飛散した尿がフラップに吸収される。すなわち、フラップの上面に飛散、付着した尿が水滴のまま残り、ペットシートを処分する時に尿が手に付いたり、床にこぼれたりすることを防止できる。
【図面の簡単な説明】
【図１】図１は、本発明の第１の実施例に係るペットシートの構造を示す平面図である。
【図２】図２は、図１のＡ−Ａ‘方向の部分断面図であり、（Ａ）が未使用状態を示し、（Ｂ）が使用状態を示す。
【図３】図３は、本発明のフラップの構造を示す簡略断面図であり、（Ａ）が２層構造、（Ｂ）が１層構造である。
【図４】図４は、第１実施例の作用を示す斜視図であり、フラップ上に飛散した尿が当該フラップに吸収、拡散される様子を示している。
【図５】図５は、本発明の第２の実施例に係るペットシートの構造を示す平面図である。
【図６】図６は、図５のＡ−Ａ‘方向の部分断面図であり、（Ａ）が未使用状態を示し、（Ｂ）が使用状態を示す。
【図７】図７は、本発明の第３の実施例に係るペットシートの構造を示す平面図である。
【図８】図８は、図７のＡ−Ａ‘方向の部分断面図である。
【図９】図９は、本発明の第４の実施例に係るペットシートの構造を示す平面図である。
【図１０】図１０は、図９のＡ−Ａ‘方向の部分断面図であり、（Ａ）が未使用状態を示し、（Ｂ）が使用状態を示す。
【図１１】図１１は、本発明の第５の実施例に係るペットシートの構造を示す平面図である。
【図１２】図１２は、図１１のＡ−Ａ‘方向の部分断面図である。
【図１３】図１３は、本発明の第６の実施例に係るペットシートの構造を示す平面図である。
【図１４】図１４は、図１３のＡ−Ａ‘方向の部分断面図である。
【図１５】図１５は、本発明の第７の実施例に係るペットシートの構造を示す平面図である。
【図１６】図１６は、本発明の第８の実施例に係るペットシートの構造を示す部分断面図である。
【符号の説明】
１０，３０，４０，５０，６０，７０，８０，９０    ペットシート
１２    吸収体
１４    トップシート
１６，１８，３２，３４，４２，４４，９２，９４    フラップ
２０    バックシート
２４    尿（排泄物）
５２，５４，６２，６４    溝（凹部）
７２    凹部
７２ａ    小領域
９６    スペーサー部材
【図１】
0004421077.tif 000002
【図２】
0004421077.tif 000003
【図３】
0004421077.tif 000004
【図４】
0004421077.tif 000005
【図５】
0004421077.tif 000006
【図６】
0004421077.tif 000007
【図７】
0004421077.tif 000008
【図８】
0004421077.tif 000009
【図９】
0004421077.tif 000010
【図１０】
0004421077.tif 000011
【図１１】
0004421077.tif 000012
【図１２】
0004421077.tif 000013
【図１３】
0004421077.tif 000014
【図１４】
0004421077.tif 000015
【図１５】
0004421077.tif 000016
【図１６】
0004421077.tif 000017